(57)【特許請求の範囲】
【請求項１】
被接続側の基板上に固定した筒状のケージに、該ケージの開口部から挿抜自在にして装着される、通信機器を内装するベースと該ベースの一端部側に接続され固定された光ファイバ接続用の躯体であるハウジングとでなる光モジュールにおけるコネクタの抜去機構であって、
前記抜去機構には、
前記ベースの下側に設けられケージ側の係止部に係止される係止突起と、前記ハウジングの下部に解除方向と抜去方向とに摺動自在にして設けられて前記係止突起と前記ケージ側の係止部との係止作用を解除させる解除手段と、
前記コネクタの外部接続用開口部の一部を形成し且つ解除手段を解除方向に操作すべく揺動軸を中心に揺動自在な解除レバーと、
前記係止突起が前記解除レバーの揺動操作で解除方向にスライドされる前記解除手段により係止解除されたときに、前記ケージ側の一部を反力部にして前記ケージから前記コネクタを抜去方向に突出させるイジェクト手段とが設けられ、
前記イジェクト手段は、
前記ハウジングの下部に設けられ前記解除手段を摺動自在に保持するとともにケージ側の一部を反力部にするイジェクタと、
前記解除手段と前記イジェクタとの間に当接して配設され当該イジェクタの一部を反力部にして前記解除手段を抜去方向に押圧して付勢するもので、前記解除レバーが解除方向に操作されて揺動され挿抜方向と平行に倒された状態のままで、前記解除手段および前記解除レバーとを介してベースとハウジングでなる前記コネクタをケージから抜去方向に移動させて抜去させ、その後、更に抜去方向に移動させられる前記解除手段を介して前記解除レバーを解除操作の時と逆方向に揺動させて元の位置に復帰させる復帰用付勢部材として兼用される付勢手段とでなること、
を特徴とするコネクタの抜去機構。
【請求項２】
請求項１に記載のコネクタの抜去機構を備えてなること、
を特徴とする光モジュール。
【発明の詳細な説明】
【技術分野】
【０００１】
本発明は、主に光通信における光モジュール等を、通信用トランシーバのケージに対して挿抜させるコネクタの抜去機構、および、その抜去機構を備えてなる光モジュールに関するものである。
【背景技術】
【０００２】
従来、光モジュールは、光ファイバを通信器機に接続するものであり、トランシーバにおける基板側のケージに対して挿抜可能になっている。このような光モジュールとケージ側との挿抜用の係止構造における係止解除の例として、特許文献１〜３に記載されたものが知られている。
【先行技術文献】
【特許文献】
【０００３】
【特許文献１】特開２００６−３３７７２７号公報
【特許文献２】特開２００６−２６９４４２号公報
【特許文献３】特開２００４−３４３５０６号公報
【発明の概要】
【発明が解決しようとする課題】
【０００４】
しかし、従来の光モジュールにおいて、ケージに対する抜去時に光モジュールを押し出す為のキックバック構造では、コネクタ抜去力とフィンガー接圧力のバラツキによって、光モジュールの嵌合状態・抜去状態の判断がしにくい。また、トランシーバに多数個の光モジュールが格子状に装着されている状態で、作業空間が狭小で見えにくい場合があり、ケージに対する光モジュールの抜去の確認がしずらく、光モジュール交換作業の効率を低下させている。本発明に係るコネクタの抜去機構は、このような課題を解決するために提案されたものである。
【課題を解決するための手段】
【０００５】
本発明に係るコネクタの抜去機構の上記課題を解決して目的を達成するための要旨は、被接続側の基板上に固定した筒状のケージに、該ケージの開口部から挿抜自在にして装着される、通信機器を内装するベースと該ベースの一端部側に接続され固定された光ファイバ接続用の躯体であるハウジングとでなる光モジュールにおけるコネクタの抜去機構であって、
前記抜去機構には、
前記ベースの下側に設けられケージ側の係止部に係止される係止突起と、前記ハウジングの下部に挿抜方向に摺動自在にして設けられて前記係止突起と前記ケージ側の係止部との係止作用を解除させる解除手段と、
前記コネクタの外部接続用開口部の一部を形成し且つ解除手段を解除方向に操作すべく揺動軸を中心に揺動自在な解除レバーと、
前記係止突起が前記解除レバーの揺動操作で解除方向にスライドされる前記解除手段により係止解除されたときに、前記ケージ側の一部を反力部にして前記ケージから前記コネクタを抜去方向に突出させるイジェクト手段とが設けられ、
前記イジェクト手段は、
前記ハウジングの下部に設けられ前記解除手段を摺動自在に保持するとともにケージ側の一部を反力部にするイジェクタと、
前記解除手段と前記イジェクタとの間に当接して配設され当該イジェクタの一部を反力部にして前記解除手段を抜去方向に押圧して付勢するもので、前記解除レバーが解除方向に操作されて揺動され挿抜方向と平行に倒された状態のままで、前記解除手段および前記解除レバーとを介してベースとハウジングでなる前記コネクタをケージから抜去方向に移動させて抜去させ、その後、更に抜去方向に移動させられる前記解除手段を介して前記解除レバーを解除操作の時と逆方向に揺動させて元の位置に復帰させる復帰用付勢部材として兼用される付勢手段とでなることである。
【０００９】
本発明に係る光モジュールの要旨は、上記本発明に係るコネクタの抜去機構を備えてなるものである。
【発明の効果】
【００１０】
本発明のコネクタの抜去機構と光モジュールによれば、ケージから光モジュールを抜去させた時に、光モジュールの端部がケージから外に飛び出すので、抜去されたことが作業者に明確に伝わる。また、ワンアクションで抜去操作が可能となり、作業性が向上する。
【００１１】
イジェクト用に設けられた付勢部材（コイルスプリング）が、解除レバーを元の位置に戻す復帰用の付勢部材ともなり、抜去用及び復帰用と兼用させることでコスト低減と部品点数の低減となり、更に部品の管理が容易となる。
【００１２】
また、前記付勢部材によりケージからコネクタが抜去されて飛び出し、コネクタの抜去機構と光モジュールの一部が当接して、その衝突音が生じることでも抜去したことが確認される。更に、従来の光モジュールの規格外径寸法の範囲内で前記コネクタの抜去機構が光モジュール内に収納されるので、既存の通信器機におけるケージに対してもそのまま光モジュールを挿抜させることができる。
【００１３】
前記コネクタの抜去機構における解除レバーが、コネクタ開口部の一部となっていて、光モジュール全体の長さを短くして、省スペース化を図ることができると言う数々の優れた効果を奏するものである。
【図面の簡単な説明】
【００１４】
【図１−Ａ】本発明に係るコネクタの抜去機構を備えた光モジュール１とケージ２との、嵌合前の下から見た斜視図（Ａ）、嵌合状態の斜視図（Ｂ）である。
【図１−Ｂ】同本発明に係る光モジュール１ので、解除レバーを約９０°開いてロック解除させた状態の斜視図（Ａ）、同下から見た状態の斜視図（Ｂ）である。
【図２】同本発明の光モジュール１における平面図（Ａ）、側面図（Ｂ）、底面図（Ｃ）、側面図（Ｄ）、正面図（Ｅ）、背面図（Ｆ）である。
【図３−Ａ】同光モジュール１における解除レバー７の形状を示す斜視図(Ａ)，（Ｂ）、側面図（Ｃ）、平面図（Ｄ）、正面図（Ｅ）、背面図（Ｆ）、底面図（Ｇ）である。
【図３−Ｂ】同光モジュール１におけるスライダ６の形状を示す斜視図（Ａ），（Ｂ）、側面図（Ｃ）、平面図（Ｄ）、正面図（Ｅ）、背面図（Ｆ）、底面図（Ｇ）である。
【図３−Ｃ】同光モジュール１におけるイジェクタ５の形状を示す斜視図（Ａ），（Ｂ）、側面図（Ｃ）、平面図（Ｄ）、正面図（Ｅ）、背面図（Ｆ）、底面図（Ｇ）である。
【図３−Ｄ】同光モジュール１における、コネクタの抜去機構を取り付ける前の状態の斜視図（Ａ）、下後方から見た状態の斜視図（Ｂ）である。
【図４】同光モジュール１の組立の手順の様子を示す斜視図である。
【図５】同光モジュール１を、ケージ２に挿抜する様子を示す説明図で、光モジュール１の底面図で示す説明図（Ａ）、断面図で示す説明図（Ｂ）である。
【図６】同光モジュール１を、ケージ２に挿抜する様子を示す説明図で、光モジュール１の底面図で示す説明図（Ａ）、断面図で示す説明図（Ｂ）である。
【図７】同光モジュール１を、ケージ２に挿抜する様子を示す説明図で、光モジュール１の底面図で示す説明図（Ａ）、断面図で示す説明図（Ｂ）である。
【発明を実施するための形態】
【００１５】
本発明に係るコネクタの抜去機構Ａとそれを有する光モジュール１は、図１に示すように、通信器機側のケージ２に対して、光モジュール１を抜去させると、該ケージ２から光モジュール１が飛び出して、抜去されたことが明確に把握されることである。
【実施例１】
【００１６】
本発明に係るコネクタの抜去機構Ａは、例えば、被接続側である通信器機の基板上に固定したシールド用で筒状のケージ２に、該ケージ２の長手方向の一端部側にある開口部から挿抜自在にして装着される光モジュール１に設けられているものである。尚、このほか、本発明に係るコネクタ抜去機構Ａは、光通信器機に限らず、電気接続器機、電気通信器機などにおいても適用できるものである。
【００１７】
図１−Ａ乃至図２に示すように、前記光モジュール１に適用した場合における抜去機構Ａについて説明する。光モジュール１は、全体が細長い矩形状で、一例として亜鉛ダイカスト製のベース３と、上部と側面をシールドする金属製のメインカバー３ａと、当該ベース３及びメインカバー３ａに内包されるトランシーバ等の光通信器機および基板等で構成される光通信用部材と、先端側に配設される合成樹脂製のハウジング４と、該ハウジング４に装備される合成樹脂製のイジェクタ５、スライダ６、解除レバー７、金属製の付勢部材８及び座屈防止ピン８ａなどから構成されている。以下、各部品について説明する。
【００１８】
光モジュール１における前記ベース３は、ケージ２側の係止部２ａに係止される係止突起３ｂが前部の底面に設けられている。この係止突起３ｂは、光モジュール１がケージ２に装着された時に、ケージ２側のバネ製の係止板２ｂに穿設された係止孔２ａに落ち込んで係止されるものである。
【００１９】
前記ハウジング４は、光ファイバ接続用の躯体であり、一例としてＬＣ形の場合では、接続用開口部の奥に割スリーブ、フェルール等が２箇所に設けられている。これに限られることは無く、他にＳＣ形等もある。このハウジング４にコネクタ（図１−Ａに示すように、ベース３、およびベース３に包含される基板、光通信用器機を含む）１ａの抜去機構Ａが設けられている。
【００２０】
前記コネクタ１ａの抜去機構Ａは、図３−Ａ乃至図３−Ｂに示す、前記ベース３の係止突起３ｂと前記ケージ２側の係止部２ａとの係止作用を解除させる解除手段であるスライダ６と、該解除手段であるスライダ６の前記係止作用を解除させるための解除方向に操作する解除レバー７とがある。
【００２１】
前記スライダ６は、図３−Ｂに示すように、ケージ２の係止板２ｂを押し上げて係止解除させる作用をする２本の突出した解除腕６ａと、解除レバー７の揺動壁７ｃ（図３−Ａ（Ｂ）参照）に当接する当接板６ｂと、付勢部材８の端部を受けるバネ座６ｃと、イジェクタ５上をスライドするときの摺接ガイドとなるガイド板６ｄと、でなる合成樹脂製の係止解除用の部材である。
【００２２】
前記解除レバー７は、図２と図３−Ａに示すように、コネクタ１ａの外部接続用開口部の一部を形成していて、且つ、揺動軸（図４に示す軸孔４ａ，４ｂに圧入・固定される固定ピン９）を中心に、一例として約９０°範囲内で揺動自在である。勿論、これに限定されること無く、例えば、９０°〜１８０°等の範囲で自由に設定できる。
【００２３】
更に、図４に示すように、前記係止突起３ｂが前記解除手段（スライダ６）により係止解除されたときに、前記ケージ２側の一部を反力部にして前記ケージ２から、光モジュール１のコネクタ１ａを抜去方向に突出させるイジェクト手段がハウジグ４の下部に設けられている。該イジェクト手段は、図３−Ｃに示すイジェクタ５、図４に示す付勢部材（コイルスプリング）８、および座屈防止ピン８ａ等で構成されている。
【００２４】
前記イジェクタ５は、図３−Ｃおよび図４に示すように、合成樹脂製の抜去部材であり、前記ハウジング４に挿抜方向に沿って摺動自在に支持されるものである。該イジェクタ５には、付勢部材８の端部を受けるバネ座５ａ、前記スライダ６のガイド板６ｄに摺接してガイドするガイド溝５ｂ、また、スライダ６の解除腕６ａ，６ａを後方に突出させる突出ガイド溝５ｃ、ハウジング４のガイド溝４ｃ（図４参照）に挿抜（前後）方向にガイドされるガイド板５ｄがそれぞれ設けられている。
【００２５】
また、前記イジェクト手段における付勢部材８は、その一端部が、スライダ６を介して解除レバー７の一部である揺動壁７ｃを押し出して、前記コネクタ１ａがケージ２から抜去させる抜去用であるとともに、解除レバー７を固定ピン９を中心に回転させて、元の位置に揺動・復帰させる復帰用の付勢部材として兼用されている。
【００２６】
このように、前記イジェクト手段は、図３−Ｄおよび図４に示すように、通信接続器機を内装するベース３と、該ベース３の一端部側に固定されるハウジング４とから構成されるコネクタ１ａに規格寸法内で内包されており、既存のケージ２に対しても、何らの変更を加えること無く、本発明に係る光モジュール１を挿抜可能としている。
【００２７】
このような光モジュール１のケージ２に対する挿抜作用を図５乃至図７を参照して説明する。
【００２８】
図５（Ａ），（Ｂ）に示すように、光モジュール１が上段の図の未嵌合状態を基本状態として、その基本状態から、矢印で示す嵌合（後方）方向に光モジュール１を押し込んで、通信器機側の基板等におけるケージ２の開口部から差し込む。
【００２９】
光モジュール１の中段の図に示すように、イジェクタ５の後端部がケージ２の開口端部に位置して、該開口端部に当接する。該イジェクタ５はその開口端部の位置で移動停止するが、その後も、付勢部材８の付勢力に抗してベース３が後方に押し込まれる。
【００３０】
その後、前記光モジュール１の係止突起３ｂが、ケージ２の係止板２ｂを押し上げて係止孔２ａに落ち込んで係止され、図中の一点鎖線で示すロック位置に至って移動停止する。
【００３１】
これで、光モジュール１とケージ２との嵌合状態となる。この嵌合状態において、前記ベース３の係止突起３ｂが、イジェクタ５の後端面から所望の間隔をおいて離間しているのである。
【００３２】
次に、図５（Ａ），（Ｂ）における、光モジュール１の下段の図に示すように、光モジュール１の抜去時には、解除レバー７を指で矢印方向に倒す。それにより、解除レバー７の揺動壁７ｃが固定ピン９を中心にして回転し、それに当接しているスライダ６の当接板６ｂを解除（後方）方向に押し込むのである。
【００３３】
それにより、付勢部材８の付勢力に抗してスライダ６が、イジェクタ５上を摺接して、解除（後方）方向に移動し付勢部材８が縮む。同時に、スライダ６の解除腕６ａが解除方向に移動せしめられ、ケージ開口端面の位置から更に突出して、ロック位置に近づく。こうして、ケージ２の底面に設けられた弾性片である係止板２ｂが、前記解除腕６ａのテーパ部分で押し上げ（係止解除方向に下げ）られる。
【００３４】
図６における光モジュール１の上段の図に示すように、解除レバー７を約９０°に指で倒すと、スライダ６が解除方向（図中では後方向）に最大限移動しロック位置を超える。そして、当該スライダ６の一対の解除腕６ａ，６ａが、その先端部のテーパ部分でケージ２の係止板２ｂを押し上げ（紙面に直交する手前側に下げ）、係止孔２ａと係止突起３ｂとの係止作用を解除する。
【００３５】
前記スライダ６が解除（後方）方向に最大限移動したことで、付勢部材８が最も圧縮された状態となる。この付勢部材８の一端部はイジェクタ５のバネ座５ａを解除（後方）方向に押しつけ、イジェクタ５の後端面がケージ２の開口端部に当接していて、付勢部材８の一端側の反力部となる。また、図４に示すように、座屈防止ピン８ａがあるので、細長い付勢部材８が座屈することは無い。
【００３６】
図６における光モジュール１の下段の図に示すように、押圧されて縮んだ前記付勢部材８の付勢力により、イジェクタ５のバネ座５ａおよびイジェクタ５に当接しているケージ２の開口端部を反力部にして、イジェクタ５のガイド溝５ｂに沿ってガイド板６ｄがガイドされながら、スライダ６が図中の矢印で示す抜去方向に押し出される。
【００３７】
前記スライダ６により、その先端側の当接板６ｂに当接している解除レバー７の揺動壁７ｃが押圧されて、解除レバー７が抜去方向に押し出される。よって、解除レバー７とともに、ハウジング４とベース３とのコネクタ１ａが矢印の抜去方向に移動せしめられる。
【００３８】
このとき、作業者の指で解除レバー７が図示のように倒された状態であるので、当該解除レバー７がハウジング４の固定ピン９を中心に回転しない。即ち、前記解除レバー７、および、ハウジング４，ベース３のコネクタ１ａが一体となって、イジェクタ５、伸長する付勢部材８および座屈防止ピン８ａを除く光モジュール１が、図中の矢印で示す抜去方向に移動されることになる。
【００３９】
前記抜去方向に移動した、イジェクタ５および付勢部材８等を除く光モジュール１は、ベース３の係止突起３ｂが前記イジェクタ５の後端面に当接したことで、移動停止する。
【００４０】
次に、図７における光モジュール１の上段の図に示すように、前記光モジュール１のコネクタ１ａの移動が停止した後、光モジュール１がケージ２から抜去される。
【００４１】
その後、解除レバー７から作業者の指を離すと、前記付勢部材８の付勢力によって、スライダ６が更に抜去方向に移動し、固定ピン９を中心にして揺動壁７ｃが時計方向に回転し、解除レバー７が矢印で示す方向に回転する。
【００４２】
そして、図７における光モジュール１の下段の図に示すように、前記付勢部材８の付勢力によりスライダ６が抜去方向に移動し、解除レバー７が時計方向に略９０°回転し、ハウジング４の開口端部に当接して回転停止して、元の位置に戻される。
【００４３】
こうして、光モジュール１は、通信器機側のケージ２から抜去された状態となる。抜去時に、ケージ２から、光モジュール１のコネクタ１ａが付勢部材８によって抜去方向に飛び出すので、様々なケージ２において抜去時のロック解除動作が明確化される。また、解除レバー７を指で回転させるだけで、ケージ２から前記コネクタ１ａを抜去できるので、ワンアクションで作業性の良い抜去操作となる。
【産業上の利用可能性】
【００４４】
本発明に係るコネクタの抜去機構Ａは、光通信器機はもとより電気信号通信器機などのコネクタに広く適用できるものである。
【符号の説明】
【００４５】
１          光モジュール、                  １ａ          コネクタ、
２          ケージ、                        ２ａ          係止孔、  
２ｂ        係止板、                          
３          ベース、                        ３ａ          メインカバー、
３ｂ        係止突起、
４          ハウジング、                    ４ａ          軸孔、
４ｂ        軸孔、                          ４ｃ          ガイド溝、
５          イジェクタ、                    ５ａ          バネ座、
５ｂ        ガイド溝、                      ５ｃ          突出ガイド溝、
５ｄ        ガイド板、
６          解除手段（スライダ）、
６ａ        解除腕、
６ｂ        当接板、                        ６ｃ          バネ座、
６ｄ        ガイド板、
７          解除レバー、                    ７ａ          開口部、
７ｂ        軸孔、                          ７ｃ          揺動壁、    
８          付勢部材（スプリング）、        ８ａ          座屈防止ピン、
９          固定ピン、
Ａ        コネクタの抜去機構。
【要約】
【課題】本発明は、コネクタの抜去機構に関し、従来のコネクタの抜去機構においては、抜去作用が明確に作業者に伝わらないことが課題であって、それを解決することである。
【解決手段】被接続側の基板上に固定した筒状のケージに、該ケージの開口部から挿抜自在にして装着されるコネクタの抜去機構であって、前記抜去機構には、ケージ側の係止部に係止される係止突起３ｂと、該係止突起の前記ケージ側の係止部の係止作用を解除させる解除手段６と、該解除手段６を前記係止作用を解除させるための解除方向に操作する解除レバー７とを有すると共に、前記係止突起３ｂが前記解除手段６により係止解除されたときに、前記ケージ側の一部を反力部にして前記ケージ２から前記コネクタを抜去方向に突出させるイジェクト手段５，８，８ａが設けられているコネクタの抜去機構Ａとするものである。
【選択図】図１−Ａ【図１−Ａ】
0005892449.tif 000002
【図１−Ｂ】
0005892449.tif 000003
【図２】
0005892449.tif 000004
【図３−Ａ】
0005892449.tif 000005
【図３−Ｂ】
0005892449.tif 000006
【図３−Ｃ】
0005892449.tif 000007
【図３−Ｄ】
0005892449.tif 000008
【図４】
0005892449.tif 000009
【図５】
0005892449.tif 000010
【図６】
0005892449.tif 000011
【図７】
0005892449.tif 000012